(57)【要約】【課題】タッチ機能および清掃機能を兼ねた保護ケースを提供する。【解決手段】ケース本体２０およびアクセサリ１０を備える。ケース本体２０は、板状の板部２２及び板部２２の縁部から板厚方向に立設されている壁部２１によりスマートフォンを収容可能な収容空間２３が形成されており、板部２２に結合穴２４が形成されている。アクセサリ１０は、結合穴２４に脱着可能に設けられており、拭部１３およびタッチ部１２が形成されている。【選択図】  図２
0003181777.tif 000002
【実用新案登録請求の範囲】
【請求項１】
電子機器を保護する保護ケースであって、
板状の板部及び当該板部の縁部から板厚方向に立設されている壁部により前記電子機器を収容可能な収容空間を形成しており、前記板部に結合穴部が形成されているケース本体と、
前記結合穴部に脱着可能に設けられており、拭部およびタッチ部が形成されているアクセサリと、を備えることを特徴とする保護ケース。
【請求項２】
前記タッチ部と拭部とは異なる水平面に形成されていることを特徴とする請求項１記載の保護ケース。
【請求項３】
前記アクセサリは、前記タッチ部と拭部との間に、頸部および当該頸部の周縁に形成されている二つの翼部を有する取付部が形成されており、
前記結合穴部には、前記取付部の脱離を抑制する係止壁が形成されていることを特徴とする請求項１記載の保護ケース。
【請求項４】
前記結合穴部は、前記板部の板厚方向の投影の一部が重なる第一内壁および第二内壁を有し、
前記係止壁は前記第一内壁と前記第二内壁との間に形成されており、
前記第一内壁は、前記第一内壁の前記板厚方向の投影の形状と前記取付部の前記板厚方向の投影の形状とが一致するよう形成されていることを特徴とする請求項３記載の保護ケース。
【請求項５】
前記アクセサリには少なくとも一つの尖端部が形成されていることを特徴とする請求項１記載の保護ケース。
【考案の詳細な説明】
【技術分野】
【０００１】
本考案は保護ケース（ｃａｓｅ）に関し、詳しくは携帯電話の保護ケースに関する。
【背景技術】
【０００２】
最近、スマートフォン（ｓｍａｒｔ  ｐｈｏｎｅ）は消費者に人気の電子製品となり、各メーカ（ｍａｋｅｒ）は消費者のニーズ（ｎｅｅｄｓ）を満足するために異なる機能や異なるサイズ（ｓｉｚｅ）を有するスマートフォンを作り出している。
【０００３】
従来の携帯電話と比べ、スマートフォンの最大の特徴は、より大きなスクリーン（ｓｃｒｅｅｎ）を有し、使用者が画面をタッチすることで各種操作を行うことができることである。通常のタッチ操作は、指で行うが、タッチペン（ｔｏｕｃｈ  ｐｅｎ）を利用して行うこともできる。
【考案の概要】
【考案が解決しようとする課題】
【０００４】
ところが、従来のタッチペンは、スマートフォンに脱着可能に取付られるか、使用者が携帯するものであり、スクリーンを清掃する機能を有していない。よって、使用者が指でスクリーンをタッチして残した指紋、またはスクリーンに落ちた埃を拭くことができないまた、個性を表しながらスマートフォンを保護する保護ケースは、保護機能の他、清掃機能を有していない。
本考案は、上述の問題に鑑みてなされたものであり、その目的は、タッチ機能および清掃機能を兼ねた保護ケースを提供することにある。
【課題を解決するための手段】
【０００５】
本考案に係る保護ケースは、電子機器を保護する保護ケースであって、ケース本体およびアクセサリを備える。ケース本体は、板状の板部及び板部の縁部から板厚方向に立設されている壁部により電子機器を収容可能な収容空間が形成されており、板部に結合穴が形成されている。アクセサリは、結合穴部に脱着可能に設けられており、拭部およびタッチ部が形成されている。
【０００６】
また、タッチ部と拭部とは異なる水平面に形成されている。
また、アクセサリは、タッチ部と拭部との間に、頸部および当該頸部の周縁に形成されている二つの翼部を有する取付部が形成されている。結合穴内には、取付部の脱離を抑制する係止壁が形成されている。
【０００７】
また、結合穴は、板部の板厚方向の投影の一部が重なる第一内壁および第二内壁を有する。係止壁は第一内壁と第二内壁との間に形成されている。第一内壁は、第一内壁の板厚方向の投影の形状と取付部の板厚方向の投影の形状とが一致するよう形成されている。
さらに、アクセサリには少なくとも一つの尖端部が形成されている。
【０００８】
これにより、取付部と第一内壁とが一致する状態で、取付部を結合穴部に入れ込むことができ、アクセサリを所定角度回転することでアクセサリの取付部が結合穴から脱離することを抑制することができる。よって、アクセサリとケース本体とを簡単に結合することができ、アクセサリを使用する場合は、アクセサリをケース本体から簡単に取り外すことができる。
【図面の簡単な説明】
【０００９】
【図１】本考案の一実施形態による保護ケースを示す斜視図である。
【図２】本考案の一実施形態による保護ケースを示す分解斜視図である。
【図３】本考案の一実施形態による保護ケースを示す断面図である。
【図４】本考案の一実施形態による保護ケースの応用例を示す模式図である。
【図５】本考案の一実施形態による保護ケースの応用例を示す模式図である。
【図６】本考案の他の実施形態による保護ケースを示す斜視図である。
【考案を実施するための形態】
【００１０】
本考案の実施形態による保護ケースを図面に基づいて説明する。実施形態中の各部品は説明の便宜のためのものであり、部品の実際の比例によって描かれたものではない。
【００１１】
（一実施形態）
本考案の一実施形態による保護ケースは、例えばスマートフォン等の電子機器を保護するのに適用される。図１および図２に示すように、本考案の保護ケースは、アクセサリ１０及びケース本体２０を備える。ケース本体２０は、スマートフォンを覆うのに用いられ、タッチアクセサリ１０は取り外し可能にケース本体２０に取り付けられている。
【００１２】
アクセサリ１０は扁平状の本体１１を有する。本体１１の側面には拭部１２およびタッチ部１３が設けられている。拭部１２は複数個の微細繊維を有する。タッチ部１３は導電性を有する。タッチ部１３は拭部１２の一端に設けられ、拭部１２とタッチ部１３とは異なる平面に位置している。よって、スクリーンの掃除を容易に行うことができる。本体１１は、ニーズによって植物の模様に形成されてもよい。例えば図面に示される葉っぱの形状に形成される。また、本体１１は少なくとも一つのタッチ操作に有利な尖端部１４を有する。アクセサリ１０の拭部１２の周縁には取付部１５が形成されている。拭部１２は取付部１５により囲まれた範囲内に設置される。取付部１５には頸部１５１を有する。頸部１５１の周縁には二つの翼部１５２が横方向に突出している。
【００１３】
ケース本体２０は、板部２２および板部２２の縁部から板厚方向に立設されている壁部２１を有する。板部２２および板部２２はスマートフォンを覆う収容空間２３を形成する。板部２２には結合穴部２４が形成されている。結合穴２４は第一内壁２４１、第二内壁２４２、及び第一内壁２４１と第二内壁２４２との間に位置する係止壁２４３を有する。第一内壁２４１は板部２２の収容空間２３とは反対側に形成され、第二内壁２４２は収容空間２３側に形成されている。第一内壁２４１の板厚方向の投影の形状は取付部１５の板厚方向の形状と同様に形成されている。よって取付部１５は第一内壁２４１に囲まれた穴を通ることができる。第一内壁２４１の板厚方向の投影と第二内壁２４２の板厚方向の投影とは一部が重ねる。よって、取付部１５が第一内壁２４１に囲まれた穴を通して、結合穴部２４内に入ることができる。アクセサリ１０を所定角度回転すると、取付１５は第二内壁２４２により制限され、アクセサリ１０はケース本体２０に結合される。ケース本体２０は、内層２５及び外層２６を一体形成することによって作られる。内層２５は例えば熱可塑性のポリウレタン（Ｔｈｅｒｍｏｐｌａｓｔｉｃ  Ｐｏｌｙ  Ｕｒｅｔｈａｎｅ，ＴＰＵ）により形成され、外層２６は例えばポリカーボネート（Ｐｏｌｙ  Ｃａｒｂｏｎａｔｅ，ＰＣ）により形成される。よって内層２５の硬度が外層２６より低くなり、ケース本体２０がスマートフォンを覆った場合、スマートフォンに傷が付くころを抑制することができる。また、第二内壁２４２は内層２５に形成され、第一内壁２４１は外層２６に形成されている。
【００１４】
図３は、アクセサリがケース本体に取り付けられた時の断面図を示す。図３に示すように、アクセサリ１０の取付部１５は第一内壁２４１に囲まれた穴を通して結合穴部２４に入っている。アクセサリ１０を所定角度回すことにより、取付部１５の頸部１５１は第一内壁２４１に囲まれた穴に収容される。また、翼部１５２は第二内壁２４２に囲まれた穴に収容される。第一内壁２４１の板厚方向の投影と第二内壁２４２の板厚方向の投影の一部が重ねることにより、翼部１５２は第一内壁２４１に囲まれた穴から脱出できず、係止壁２４３に当接される。よって、取付部１５が結合穴部２４から脱出することを抑制することができる。よって、アクセサリ１０とケース本体２０とが一体となり、保護ケースはスマートフォンを覆うほか、異なる機能を有することができる。
【００１５】
図４はアクセサリを用いてタッチ操作を行う本実施形態の応用例を示す模式図である。ケース本体２０はスマートフォン３０を覆い、アクセサリ１０はケース本体２０に脱着可能に設けられている。アクセサリ１０の尖端部１４でスマートフォン３０のスクリーンをタッチしながら、スマートフォン３０を操作することができる。
【００１６】
図５はアクセサリを用いてスクリーンを拭く本実施形態の応用例を示す模式図である。アクセサリ１０の拭部１２によってスマートフォン３０のスクリーン上の指紋または埃が拭き取られる。よって、アクセサリ１０は、タッチ機能のほか清掃機能も有し、アクセサリ１０の用途が増える。
【００１７】
図６に示すように、本考案の他の実施形態では、アクセサリの形状を動物の形状にすることとしても良い。例えばパンダ（ｐａｎｄａ）の形状にすることができ、好みが異なる消費者提供することができる。
【００１８】
本考案の保護ケースは、アクセサリが取り外し可能にケース本体に取り付けられ、ケース本体が携帯電話の保護に用いられ、アクセサリがケース本体およびスマートフォンと一体となり、アクセサリがタッチ機能と清掃機能を兼ねているため、使用者が随時に清掃したいという要求を満足することができる。
【００１９】
また、アクセサリは、スマートフォンを保護するケース本体に取り付けられ、スマートフォンに設けられていないので、携帯が便利であるほか、アクセサリを異なる形状にすることができる。よって、好みが異なる消費者を満足することができる。
【００２０】
本考案は、上述した実施形態に限定されるものではなく、考案の趣旨を逸脱しない範囲で種々の形態で実施可能である。
【符号の説明】
【００２１】
１０・・・アクセサリ、
１１・・・本体、
１２・・・タッチ部、
１３・・・拭部、
１４・・・尖端部、
１５・・・取付部、
１５１・・・頸部、
１５２・・・翼部、
２０・・・ケース本体、
２１・・・壁部、
２２・・・板部、
２３・・・収容空間、
２４・・・結合穴部、
２４１・・・第一内壁、
２４２・・・第二内壁、
２５・・・内層、
２６・・・外層、
３０・・・スマートフォン。
【図１】
0003181777.tif 000003
【図２】
0003181777.tif 000004
【図３】
0003181777.tif 000005
【図４】
0003181777.tif 000006
【図５】
0003181777.tif 000007
【図６】
0003181777.tif 000008